(57)【特許請求の範囲】
【請求項１】
ロック画面を表示するタッチスクリーンディスプレイと、
ロック状態において前記タッチスクリーンディスプレイに対する第１の接触と第２の接触との距離が変化するジェスチャが検出された場合、前記ロック状態を解除するコントローラと、
を備え、
前記タッチスクリーンディスプレイは、前記ロック画面上に配置される第１のオブジェクトを表示し、
前記ジェスチャは、前記第１の接触および前記第２の接触のうち少なくとも一方を前記第１のオブジェクトが配置されている位置へ近付けるジェスチャである装置。
【請求項２】
前記タッチスクリーンディスプレイは、前記ロック画面上に配置される第１のオブジェクトを表示し、
前記ジェスチャは、前記第１の接触と前記第１のオブジェクトが配置されている位置との距離、および、前記第２の接触と前記第１のオブジェクトが配置されている位置との距離のうち少なくとも一方が、閾値よりも短いジェスチャである請求項１に記載の装置。
【請求項３】
前記タッチスクリーンディスプレイは、前記ロック画面上に配置され、アプリケーションと対応付けられた第２のオブジェクトを表示し、
前記コントローラは、前記第１の接触および前記第２の接触のうち少なくとも一方を前記第２のオブジェクトが配置されている位置へ近付けるジェスチャが検出された場合、前記ロック状態を解除し、前記第２のオブジェクトに対応付けられている前記アプリケーションを実行する請求項１または２に記載の装置。
【請求項４】
前記ジェスチャは、前記第１の接触と前記第２のオブジェクトが配置されている位置との距離、および、前記第２の接触と前記第２のオブジェクトが配置されている位置との距離のうち少なくとも一方が閾値よりも短いジェスチャである請求項３に記載の装置。
【請求項５】
前記コントローラは、前記第２のオブジェクトに対して前記第１の接触および前記第２の接触のうち少なくとも一方が他方へ近付く方向に応じて、前記第２のオブジェクトに対応付けられている前記アプリケーションが実行する機能を異ならせる請求項３または４に記載の装置。
【請求項６】
前記ジェスチャは、前記第１の接触および前記第２の接触のうち少なくとも一方が他方へ近付くジェスチャである請求項１に記載の装置。
【請求項７】
ロック画面を表示するタッチスクリーンディスプレイと、
ロック状態において前記タッチスクリーンディスプレイに対する第１の接触と第２の接触との距離が変化するジェスチャが検出された場合、前記ロック状態を解除するコントローラと、
を備え、
前記タッチスクリーンディスプレイは、前記ロック画面上に配置される第１のオブジェクトを表示し、
前記ジェスチャは、前記第１の接触および前記第２の接触のうち少なくとも一方を前記第１のオブジェクトが配置されている位置から遠ざけるジェスチャである装置。
【請求項８】
ロック画面を表示するタッチスクリーンディスプレイと、
ロック状態において前記タッチスクリーンディスプレイに対する第１の接触と第２の接触との距離が変化するジェスチャが検出された場合、前記ロック状態を解除するコントローラと、
を備え、
前記タッチスクリーンディスプレイは、前記ロック画面上に配置される第１のオブジェクトを表示し、
前記ジェスチャは、前記第１の接触と前記第１のオブジェクトが配置されている位置との距離、および、前記第２の接触と前記第１のオブジェクトが配置されている位置との距離のうち少なくとも一方が、閾値よりも長いジェスチャである装置。
【請求項９】
前記タッチスクリーンディスプレイは、前記ロック画面上に配置され、アプリケーションと対応付けられた第２のオブジェクトを表示し、
前記コントローラは、前記第１の接触および前記第２の接触のうち少なくとも一方を前記第２のオブジェクトが配置されている位置から遠ざけるジェスチャが検出された場合、前記ロック状態を解除し、前記第２のオブジェクトに対応付けられている前記アプリケーションを実行する請求項７または８に記載の装置。
【請求項１０】
前記ジェスチャは、前記第１の接触と前記第２のオブジェクトが配置されている位置との距離、および、前記第２の接触と前記第２のオブジェクトが配置されている位置との距離のうち少なくとも一方が閾値よりも長いジェスチャである請求項９に記載の装置。
【請求項１１】
前記コントローラは、前記第２のオブジェクトに対して前記第１の接触および前記第２の接触のうち少なくとも一方が他方から遠ざかる方向に応じて、前記第２のオブジェクトに対応付けられている前記アプリケーションが実行する機能を異ならせる請求項９または１０に記載の装置。
【請求項１２】
前記ジェスチャは、前記第１の接触および前記第２の接触のうち少なくとも一方が他方から遠ざかるジェスチャである請求項７または８に記載の装置。
【請求項１３】
タッチスクリーンディスプレイを備える装置を制御する方法であって、
ロック画面を前記タッチスクリーンディスプレイに表示させるステップと、
ロック状態において前記タッチスクリーンディスプレイに対する第１の接触と第２の接触との距離が変化するジェスチャが検出された場合、前記ロック状態を解除するステップと、
前記ロック画面上に配置される第１のオブジェクトを前記タッチスクリーンディスプレイに表示させるステップと、
を含み、
前記ジェスチャは、前記第１の接触および前記第２の接触のうち少なくとも一方を前記第１のオブジェクトが配置されている位置へ近付けるジェスチャである方法。
【請求項１４】
タッチスクリーンディスプレイを備える装置に、
ロック画面を前記タッチスクリーンディスプレイに表示させるステップと、
ロック状態において前記タッチスクリーンディスプレイに対する第１の接触と第２の接触との距離が変化するジェスチャが検出された場合、前記ロック状態を解除するステップと、
前記ロック画面上に配置される第１のオブジェクトを前記タッチスクリーンディスプレイに表示させるステップと、
を実行させ、
前記ジェスチャは、前記第１の接触および前記第２の接触のうち少なくとも一方を前記第１のオブジェクトが配置されている位置へ近付けるジェスチャであるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者によって操作されない期間がある期間継続するとロック状態へ移行する。ロック状態において、タッチスクリーンデバイスは、特定の操作を除いて、利用者の操作を受け付けない。特定の操作とは、例えば、ロック状態を解除するためのロック解除操作である。
【０００６】
このような理由により、タッチスクリーンデバイスは、ロック状態に頻繁に移行するので、利用者がロック解除操作を行う頻度は高い。このような理由により、ロック解除操作の操作性を向上させることができる装置、方法、及びプログラムに対するニーズがある。
【課題を解決するための手段】
【０００７】
１つの態様に係る装置は、ロック画面を表示するタッチスクリーンディスプレイと、ロック状態において前記タッチスクリーンディスプレイに対する第１の接触と第２の接触との距離が変化するジェスチャが検出された場合、前記ロック状態を解除するコントローラと、を備える。
【０００８】
１つの態様に係る方法は、タッチスクリーンディスプレイを備える装置を制御する方法であって、ロック画面を前記タッチスクリーンディスプレイに表示させるステップと、ロック状態において前記タッチスクリーンディスプレイに対する第１の接触と第２の接触との距離が変化するジェスチャが検出された場合、前記ロック状態を解除するステップと、を含む。
【０００９】
１つの態様に係るプログラムは、タッチスクリーンディスプレイを備える装置に、ロック画面を前記タッチスクリーンディスプレイに表示させるステップと、ロック状態において前記タッチスクリーンディスプレイに対する第１の接触と第２の接触との距離が変化するジェスチャが検出された場合、前記ロック状態を解除するステップと、を実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、ロック画面の一例を示す図である。
【図７】図７は、ロック画面の表示中の制御の一例を示す図である。
【図８】図８は、ロック画面の表示中の制御の別の一例を示す図である。
【図９】図９は、ロック状態で実行される制御の処理手順を示すフローチャートである。
【図１０】図１０は、ロック画面の他の例を示す図である。
【図１１】図１１は、ロック画面の表示中の制御の一例を示す図である。
【図１２】図１２は、ロック画面の表示中の制御の一例を示す図である。
【図１３】図１３は、カメラアプリケーションを起動した場合の操作画面の一例を示す図である。
【図１４】図１４は、ロック状態で実行される制御の処理手順を示すフローチャートである。
【図１５】図１５は、ロック状態で実行される制御の処理手順の他の例を示すフローチャートである。
【図１６】図１６は、ロック画面の表示中の制御の一例を示す図である。
【図１７】図１７は、ロック画面の表示中の制御の一例を示す図である。
【図１８】図１８は、ロック画面の表示中の制御の一例を示す図である。
【図１９】図１９は、ロック画面の表示中の制御の一例を示す図である。
【図２０】図２０は、ロック状態で実行される制御の処理手順の他の例を示すフローチャートである。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等は単に「指」ということがある。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ移動しながらリリースするジェスチャである。スマートフォン１は、タッチに続いて指が一方方向へ移動しながらリリースするジェスチャをフリックとして判別する。フリックの移動速度は、スワイプおよびドラッグの移動速度と比較して高速である。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２３】
「ピンチイン」は、複数の指のうち少なくとも一方が他方へ近付く方向にスワイプするジェスチャである。スマートフォン１は、複数の指のうち少なくとも一方が他方へ近付く方向にスワイプするジェスチャをピンチインとして判別する。「ピンチアウト」は、複数の指のうち少なくとも一方が他方から遠ざかる方向にスワイプするジェスチャである。スマートフォン１は、複数の指のうち少なくとも一方が他方から遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
ホーム画面４０の上下方向は、ディスプレイ２Ａに表示される文字または画像の上下方向を基準とした方向である。よって、ホーム画面４０は、タッチスクリーンディスプレイ２の長手方向において領域４２に近い側がホーム画面４０の上側となり、領域４２から遠い側がホーム画面４０の下側となる。領域４２において電波レベルマーク４４が表示されている側がホーム画面４０の右側であり、領域４２において残量マーク４３が表示されている側がホーム画面４０の左側である。スマートフォン１は、ホーム画面４０に表示される文字または画像の上下方向に基づいて、例えば、ホーム画面の左方向、斜め左上方向、斜め右上方向、右方向、斜め右下方向、および、斜め左下方向を決定する。
【００３４】
図４に示したホーム画面４０は、一例であり、各種の要素の形態、各種の要素の配置、ホーム画面の数、及びホーム画面での各種の操作の仕方等は上記の説明の通りでなくてもよい。
【００３５】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３６】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３７】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３８】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３９】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、１つのセンサとして構成されていてもよい。
【００４０】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４１】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４２】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４３】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４４】
ストレージ９は、例えば、制御プログラム９Ａ、メールアプリケーション９Ｂ、ブラウザアプリケーション９Ｃ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。設定データ９Ｚは、スマートフォン１の動作に関する各種の設定機能を提供する。
【００４５】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ロック画面を表示する機能と、ロック状態を解除する機能とが含まれる。ロック状態は、タッチスクリーンディスプレイ２に対する第１の接触と第２の接触との距離が変化する特定のジェスチャを検出した場合、解除される。制御プログラム９Ａが提供する機能は、メールアプリケーション９Ｂ等の他のプログラムが提供する機能と組み合わせて利用されることがある。
【００４６】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４７】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００４８】
コントローラ１０は、例えば、制御プログラム９Ａを実行することにより、ロック状態において、タッチスクリーンディスプレイ２に対する第１の接触と第２の接触との距離が変化する特定のジェスチャを検出した場合、ロック状態を解除する処理を実行する。
【００４９】
カメラ１２は、フロントフェイス１Ａに面している物体を撮影するインカメラである。カメラ１３は、バックフェイス１Ｂに面している物体を撮影するアウトカメラである。
【００５０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５１】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５２】
図５においてストレージ９が記憶するプログラムの一部又は全部は、通信ユニット６による無線通信で他の装置からダウンロードされてもよい。図５においてストレージ９が記憶するプログラムの一部又は全部は、ストレージ９に含まれる読み取り装置が読み取り可能な非一過的な記憶媒体に記憶されていてもよい。図５においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５３】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５４】
図６から図１０を参照しながら、制御プログラム９Ａが提供する機能に基づく制御の例について説明する。制御プログラム９Ａが提供する機能には、ロック状態において、タッチスクリーンディスプレイ２に対する第１の接触と第２の接触との距離が変化した場合、ロック状態を解除する機能が含まれる。以下に、ロック状態が設定されている間に利用者の指示に従って実行される制御の例を示す。
【００５５】
図６を用いて、ロック画面の例について説明する。ロック画面は、ロック状態が設定されている間、つまりロック状態の設定がＯＮになっている間、ディスプレイ２Ａに表示される。図６は、ロック画面の一例を示している。ロック画面６０は、ロック状態が設定されていることを示す画面である。ロック画面６０は、予め設定されたロック解除のジェスチャを検出すると他の画面に移行する画面である。つまり、ロック画面６０は、予め設定されたジェスチャ以外のジェスチャが無効とされる画面である。スマートフォン１は、ロック画面において特定のジェスチャが検出されるまで、種々の操作ができない状態となる。
【００５６】
図６に示すロック画面６０は、壁紙６１上に日時画像６２が配置されている。ロック画面６０は、ディスプレイ２Ａの上端にホーム画面４０の領域４２と同一の領域４２が配置されている。ロック画面６０は、領域４２に充電池の残量を示す残量マーク４３、及び通信用の電波の電界強度を示す電波レベルマーク４４が表示される。壁紙６１は、日時画像６２の背後に表示されている。
【００５７】
日時画像６２は、時刻および日付を示す画像であり、ロック画面６０の上部で領域４２の下側となる領域に表示されている。図６に示す日時画像６２は、時刻を示す状態表示が午後１２時３４分を示す「１２：３４ＰＭ」であり、日付を示す状態表示が８月２２日を示す「Ａｕｇ．２２」である。
【００５８】
スマートフォン１は、ロック画面６０に対する特定のジェスチャを検出すると、ロック状態を解除し、ロック状態が設定される前に表示されていた画面をディスプレイ２Ａに表示させる。例えば、スマートフォン１は、ロック状態が設定される前に表示されていた画面がホーム画面４０の場合、ディスプレイ２Ａにホーム画面４０を表示させる。特定のジェスチャについては後述する。
【００５９】
次に、図７を用いて、ロック画面６０に対する特定のジェスチャの一例について説明する。図７に示すステップＳ１では、ディスプレイ２Ａにロック画面６０が表示されている。ステップＳ１では、利用者の２本の指が、ロック画面６０に接触している。具体的には、利用者の指Ｆ１と指Ｆ２がロック画面６０の壁紙６１上の略中央部分に接触している。この場合、スマートフォン１は、ロック画面６０に指Ｆ１と指Ｆ２がそれぞれ接触している部分でのタッチを検出する。本実施形態において、スマートフォン１は、ロック画面６０に指Ｆ１が接触している部分でのタッチを、第１の接触として検出する。スマートフォン１は、ロック画面６０に指Ｆ２が接触している部分でのタッチを、第２の接触として検出する。スマートフォン１は、第１の接触と第２の接触を検出すると、第１の接触が検出された位置と第２の接触が検出された位置との距離を算出する。
【００６０】
ステップＳ２では、利用者の指Ｆ１と指Ｆ２がロック画面６０に接触した状態で、指Ｆ１と指Ｆ２が互いに近付く方向へ移動している。つまり、利用者は、指Ｆ１と指Ｆ２が近付く方向にピンチインしている。この場合、スマートフォン１は、タッチスクリーンディスプレイ２を介して、指Ｆ１および指Ｆ２を近付けるピンチインジェスチャを検出する。換言すると、図７に示す例において、スマートフォン１は、第１の接触と第２の接触との距離が変化したことを検出する。具体的には、スマートフォン１は、第１の接触および第２の接触のうち少なくとも一方が他方へ近付いたことを検出する。スマートフォン１は、第１の接触および第２の接触のうち少なくとも一方が他方へ近付いたことに加えて、第１の接触と第２の接触との距離が閾値よりも短くなったことを検出してもよい。あるいは、スマートフォン１は、第１の接触および第２の接触のうち少なくとも一方が他方へ近付いたことに代えて、第１の接触と第２の接触との距離が閾値よりも短くなったことを検出してもよい。具体的には、スマートフォン１は、第１の接触が検出された初期位置と第２の接触が検出された初期位置とを結ぶ線分上を、指Ｆ１および指Ｆ２のうち少なくとも一方が他方へ近付く方向へ移動した後の指Ｆ１と指Ｆ２との距離を算出する。そして、スマートフォン１は、この算出した距離と閾値とを比較することで、第１の接触と第２の接触との距離が閾値よりも短くなったことを検出する。
【００６１】
本実施形態において、閾値は、予め指定された固定値であってもよいし、第１の接触と第２の接触が検出された時点における初期距離に応じて決定される可変値であってもよい。例えば、スマートフォン１は、第１の接触が検出された初期位置と第２の接触が検出された初期位置との初期距離を算出し、当該初期距離の所定の割合に対応する距離を、閾値として設定する。図７に示す例では、スマートフォン１は、Ｓ１で指Ｆ１と指Ｆ２の接触を検出した際に指Ｆ１と指Ｆ２との初期距離を算出し、当該初期距離の半分の距離を閾値として設定する。
【００６２】
スマートフォン１は、ロック画面６０が表示されるロック状態において、タッチスクリーンディスプレイ２を介して、指Ｆ１および指Ｆ２を近付けるピンチインジェスチャを検出すると、ロック状態を解除し、ロック状態が設定される前に表示されていた画面をタッチスクリーンディスプレイ２に表示させる。
【００６３】
次に、図８を用いて、ロック画面６０に対する特定のジェスチャの別の一例について説明する。図８に示すステップＳ３では、ディスプレイ２Ａにロック画面６０が表示されている。ステップＳ３では、利用者の指Ｆ１と指Ｆ２がそれぞれロック画面６０に接触している。この場合、スマートフォン１は、ロック画面６０に指Ｆ１と指Ｆ２がそれぞれ接触している部分でのタッチを、第１の接触および第２の接触として検出する。スマートフォン１は、第１の接触と第２の接触を検出すると、第１の接触が検出された位置と第２の接触が検出された位置との距離を算出する。
【００６４】
ステップＳ４では、利用者の指Ｆ１と指Ｆ２がロック画面６０に接触した状態で、指Ｆ１と指Ｆ２が互いに遠ざかる方向へ移動している。つまり、利用者は、指Ｆ１と指Ｆ２が遠ざかる方向へピンチアウトしている。この場合、スマートフォン１は、タッチスクリーンディスプレイ２を介して、指Ｆ１および指Ｆ２を遠ざけるピンチアウトジェスチャを検出する。換言すると、図８に示す例において、スマートフォン１は、第１の接触と第２の接触との距離が変化したことを検出する。具体的には、スマートフォン１は、第１の接触および第２の接触のうち少なくとも一方が他方から遠ざかることを検出する。スマートフォン１は、第１の接触および第２の接触のうち少なくとも一方が他方から遠ざかることに加えて、第１の接触と第２の接触との距離が閾値よりも長くなったことを検出してもよい。あるいは、スマートフォン１は、第１の接触および第２の接触のうち少なくとも一方が他方から遠ざかることに代えて、第１の接触と第２の接触との距離が閾値よりも長くなったことを検出してもよい。具体的には、スマートフォン１は、第１の接触が検出された初期位置と第２の接触が検出された初期位置とを結ぶ線分上を、指Ｆ１および指Ｆ２のうち少なくとも一方が他方から遠ざかる方向へ移動した後の指Ｆ１と指Ｆ２との距離を算出する。そして、スマートフォン１は、この算出した距離と閾値とを比較することで、第１の接触と第２の接触との距離が閾値よりも長くなったことを検出する。
【００６５】
本実施形態において、閾値は、予め指定された固定値であってもよいし、第１の接触と第２の接触が検出された時点における初期距離に応じて決定される可変値であってもよい。例えば、スマートフォン１は、第１の接触が検出された初期位置と第２の接触が検出された初期位置との初期距離を算出し、当該初期距離の所定の割合に対応する距離を、閾値として設定する。図８に示す例では、スマートフォン１は、Ｓ３で指Ｆ１と指Ｆ２の接触を検出した際に指Ｆ１と指Ｆ２との初期距離を算出し、当該初期距離の２倍の距離を閾値として設定する。
【００６６】
スマートフォン１は、ロック画面６０が表示されるロック状態において、タッチスクリーンディスプレイ２を介して、指Ｆ１および指Ｆ２を遠ざけるピンチアウトジェスチャを検出すると、ロック状態を解除し、ロック状態が設定される前に表示されていた画面をタッチスクリーンディスプレイ２に表示させる。
【００６７】
以上のように、本実施形態のスマートフォン１では、ロック画面６０に対するピンチインジェスチャまたはピンチアウトジェスチャを、ロック画面６０に対する特定のジェスチャに設定している。
【００６８】
図９を参照しながら、制御プログラム９Ａが提供する機能に基づく制御の処理手順の例について説明する。図９は、ロック状態で実行される制御、特にロック画面の表示中に実行される制御の処理手順を示している。図９に示す処理手順は、コントローラ１０が、制御プログラム９Ａを実行することによって実現される。なお、図９に示す処理手順は、ロック状態が設定され、ディスプレイ２Ａに画面を表示させる操作が検出された場合に実行される。ディスプレイ２Ａに画面を表示させる操作が検出された場合とは、例えば省電力モードが設定され、タッチスクリーンディスプレイ２に画面を表示していない状態で、画面復帰操作が検出された場合である。コントローラ１０は、図９に示す処理手順と並行して、ロック画面６０に関する制御のための他の処理手順を実行することがある。
【００６９】
コントローラ１０は、ステップＳ１０として、タッチスクリーンディスプレイ２にロック画面を表示させる。コントローラ１０は、ステップＳ１０でロック画面を表示させたら、ステップＳ１２としてジェスチャありかを判定する。つまり、コントローラ１０は、タッチスクリーン２Ｂの検出結果を取得し、取得した検出結果に基づいて、ジェスチャが検出されたかを判定する。コントローラ１０は、ステップＳ１２でジェスチャが検出されてない（ステップＳ１２でＮｏ）と判定した場合、ステップＳ１４として、閾値時間≦待機時間であるかを判定する。コントローラ１０は、直近の操作が終了してからの経過時間である待機時間が所定の閾値時間以上であるかを判定する。
【００７０】
コントローラ１０は、ステップＳ１４で閾値時間≦待機時間ではない（ステップＳ１４でＮｏ）、つまり閾値時間＞待機時間であると判定した場合、ステップＳ１２に進み、ジェスチャがありかを再び判定する。コントローラ１０は、ステップＳ１４で閾値時間≦待機時間である（ステップＳ１４でＹｅｓ）と判定した場合、ステップＳ１６として省電力モードに移行し、本処理を終了する。つまり、コントローラ１０は、タッチスクリーンディスプレイ２を消灯させロック画面を表示していない状態として、本処理を終了する。
【００７１】
コントローラ１０は、ステップＳ１２でジェスチャあり（ステップＳ１２でＹｅｓ）と判定した場合、ステップＳ１８として、ロック画面に対するピンチインジェスチャであるかを判定する。つまり、コントローラ１０は、ステップＳ１２で検出したジェスチャがロック画面に対するピンチインジェスチャであるかを判定する。
【００７２】
コントローラ１０は、ステップＳ１８でロック画面に対するピンチインジェスチャである（ステップＳ１８でＹｅｓ）と検出した場合、ステップＳ２０として、ロック解除処理を実行し、ステップＳ２２として、ロック状態が設定される前に表示されていた画面をタッチスクリーンディスプレイ２に表示させる。コントローラ１０は、ステップＳ２２でホーム画面等の他の画面を表示させたら、本処理を終了する。
【００７３】
次に、コントローラ１０は、ステップＳ１８でロック画面に対するピンチインジェスチャではない（ステップＳ１８でＮｏ）と検出した場合、ステップＳ２４として、ロック画面に対するピンチアウトジェスチャであるかを判定する。つまり、コントローラ１０は、ステップＳ１２で検出したジェスチャがロック画面に対するピンチアウトジェスチャであるかを判定する。
【００７４】
コントローラ１０は、ステップＳ２４でロック画面に対するピンチアウトジェスチャである（ステップＳ２４でＹｅｓ）と検出した場合、ステップＳ２０として、ロック解除処理を実行し、ステップＳ２２として、ロック状態が設定される前に表示されていた画面をタッチスクリーンディスプレイ２に表示させる。コントローラ１０は、ステップＳ２２でホーム画面等の他の画面を表示させたら、本処理を終了する。
【００７５】
次に、コントローラ１０は、ステップＳ２４でロック画面に対するピンチアウトジェスチャではない（ステップＳ２４でＮｏ）と検出した場合、ステップＳ２６として、検出したジェスチャの処理を実行し、ステップＳ１２に進む。ここで、検出したジェスチャの処理としては、ロック画面で表示可能な画面、例えばヘルプ画面もしくは緊急通報画面の表示処理等である。
【００７６】
このように、本実施形態において、スマートフォン１は、ロック画面を表示させ、当該ロック画面が表示されるロック状態において、ロック画面に対するピンチインジェスチャまたはピンチアウトジェスチャが検出された場合、ロック解除処理を実行し、ロック状態が設定される前に表示されていた画面をタッチスクリーンディスプレイ２に表示させる。これにより、利用者は、ロック状態から簡易なロック解除操作によりロック状態が設定される前に表示されていた画面を迅速に表示させることができる。したがって、本実施形態によれば、ロック解除操作の操作性を向上させることができる。
【００７７】
図１０を用いて、ロック画面の他の例について説明する。図１０に示すロック画面６０ａでは、図６に示すロック画面６０と異なり、壁紙６１上に、更に、１つのキーアイコン６４と、３つのアプリアイコン６８ａ、６８ｂ、６８ｃが配置されている。
【００７８】
キーアイコン６４（第１のオブジェクト）は、錠前を模した画像であり、ロック画面６０ａの下端側となる領域に表示されている。本実施形態において、キーアイコン６４は、ロック解除処理の実行が対応付けられたアイコンである。スマートフォン１は、キーアイコン６４に対する特定のジェスチャを検出すると、ロック状態を解除し、ディスプレイ２Ａにロック状態が設定される前に表示されていた画面を表示させる。特定のジェスチャについては後述する。
【００７９】
アプリアイコン（第２のオブジェクト）６８ａ、６８ｂ、６８ｃは、ロック画面６０ａの略中央部分に並んだ状態で表示されている。アプリアイコン６８ａ、６８ｂ、６８ｃは、ロック解除処理の実行と、スマートフォン１にインストールされている特定のアプリケーションと対応付けられている。スマートフォン１は、アプリアイコン６８ａ、６８ｂ、６８ｃに対する特定のジェスチャを検出すると、ロック状態を解除し、そのアプリアイコン６８ａ、６８ｂ、６８ｃに対応付けられているアプリケーションを実行する。特定のジェスチャについては後述する。
【００８０】
図１０に示す例において、アプリアイコン６８ａは、カメラアプリケーションと対応付けられている。アプリアイコン６８ｂは、ＳＮＳアプリケーションと対応付けられている。アプリアイコン６８ｃは、メールアプリケーションと対応付けられている。
【００８１】
アプリアイコン６８ａ、６８ｂ、６８ｃは、対応しているアプリケーションを示す画像を含む。アプリアイコン６８ａ、６８ｂ、６８ｃは、アイコン５０と同様に画像と文字を含んでもよく、画像に代えて、記号又は図形を含んでもよい。アプリアイコン６８ａ、６８ｂ、６８ｃは、画像を備えず文字列のみとした構成としてもよい。
【００８２】
次に、図１１を用いて、キーアイコン６４に対する特定のジェスチャについて説明する。図１１に示すステップＳ５では、ディスプレイ２Ａにロック画面６０ａが表示されている。ステップＳ５では、利用者の指Ｆ１と指Ｆ２が、ロック画面６０ａ上に配置されるキーアイコン６４の周囲に接触している。具体的には、利用者の指Ｆ１がキーアイコン６４の略左下部分に接触し、指Ｆ２がキーアイコン６４の略右上部分に接触している。この場合、スマートフォン１は、ロック画面６０ａ上に配置されるキーアイコン６４の周囲で指Ｆ１と指Ｆ２がそれぞれ接触している部分でのタッチを、第１の接触および第２の接触として検出する。スマートフォン１は、第１の接触が検出された位置と第２の接触が検出された位置とを結ぶ線分上に存在するキーアイコン６４を処理対象として選択する。スマートフォン１は、第１の接触と第２の接触を検出すると、第１の接触が検出された位置と第２の接触が検出された位置との距離を算出する。
【００８３】
ステップＳ６では、利用者の指Ｆ１と指Ｆ２がロック画面６０上のキーアイコン６４の周囲に接触した状態で、指Ｆ１と指Ｆ２が互いに近付く方向に移動している。つまり、利用者は、キーアイコン６４を挟んだ状態で、指Ｆ１と指Ｆ２が近付く方向にピンチインしている。この場合、スマートフォン１は、タッチスクリーンディスプレイ２を介して、キーアイコン６４に対するピンチインジェスチャを検出する。換言すると、図１１に示す例において、スマートフォン１は、キーアイコン６４を挟むように当該キーアイコン６４の周囲で検出された第１の接触と第２の接触との距離が変化したことを検出する。具体的には、スマートフォン１は、第１の接触および第２の接触のうち少なくとも一方をキーアイコン６４が配置されている位置へ近付けるジェスチャを検出する。スマートフォン１は、第１の接触とキーアイコン６４が配置されている位置との距離、および、第２の接触とキーアイコン６４が配置されている位置との距離のうち少なくとも一方が、閾値よりも短くなったことを検出してもよい。具体的には、スマートフォン１は、第１の接触が検出された初期位置とキーアイコン６４が配置されている位置と第２の接触が検出された初期位置とを結ぶ線分上を、指Ｆ１および指Ｆ２のうち少なくとも一方が他方に近付く方向へ移動した後の指Ｆ１と指Ｆ２との距離を算出する。そして、スマートフォン１は、この算出した距離と閾値とを比較することで、第１の接触と第２の接触との距離が閾値よりも長くなったことを検出する。
【００８４】
スマートフォン１は、ロック画面６０ａが表示されるロック状態において、タッチスクリーンディスプレイ２を介して、ロック画面６０ａ上に配置されるキーアイコン６４に対するピンチインジェスチャを検出すると、ロック状態を解除し、ロック状態が設定される前に表示されていた画面をタッチスクリーンディスプレイ２に表示させる。
【００８５】
以上のように、本実施形態のスマートフォン１は、キーアイコン６４に対するピンチインジェスチャを、キーアイコン６４に対する特定のジェスチャとして設定している。なお、本実施形態において、キーアイコン６４に対する特定のジェスチャとして、ピンチインジェスチャを一例として説明したが、キーアイコン６４に対する特定のジェスチャは、上述の図８に示したピンチアウトジェスチャであってもよい。
【００８６】
次に、図１２を用いて、アプリアイコン６８ａ、６８ｂ、６８ｃに対する特定のジェスチャについて説明する。ここで、図１２は、利用者がアプリアイコン６８ａに対して特定のジェスチャを行う場合について説明する。図１２に示すステップＳ７では、ディスプレイ２Ａにロック画面６０ａが表示されている。ステップＳ７では、利用者の指Ｆ１と指Ｆ２が、ロック画面６０ａ上に配置されるアプリアイコン６８ａの周囲に接触している。具体的には、利用者の指Ｆ１がアプリアイコン６８ａの略左下部分に接触し、指Ｆ２がアプリアイコン６８ａの略右上部分に接触している。この場合、スマートフォン１は、ロック画面６０ａ上に配置されるアプリアイコン６８ａの周囲で指Ｆ１と指Ｆ２がそれぞれ接触している部分でのタッチを、第１の接触および第２の接触として検出する。スマートフォン１は、第１の接触が検出された位置と第２の接触が検出された位置とを結ぶ線分上に存在するアプリアイコン６８ａを処理対象として選択する。スマートフォン１は、第１の接触と第２の接触を検出すると、第１の接触が検出された位置と第２の接触が検出された位置との距離を算出する。
【００８７】
ステップＳ８では、利用者の指Ｆ１と指Ｆ２がロック画面６０ａ上のアプリアイコン６８ａの周囲に接触した状態で、指Ｆ１と指Ｆ２が互いに近付く方向に移動している。つまり、利用者は、アプリアイコン６８ａを挟んだ状態で、指Ｆ１と指Ｆ２が近付く方向にピンチインしている。この場合、スマートフォン１は、タッチスクリーンディスプレイ２を介して、アプリアイコン６８ａに対するピンチインジェスチャを検出する。換言すると、図１２に示す例において、スマートフォン１は、アプリアイコン６８ａを挟むように当該アプリアイコン６８ａの周囲で検出された第１の接触と第２の接触との距離が変化したことを検出する。具体的には、スマートフォン１は、第１の接触および第２の接触のうち少なくとも一方をアプリアイコン６８ａが配置されている位置へ近付けるジェスチャを検出する。スマートフォン１は、第１の接触とアプリアイコン６８ａが配置されている位置との距離、および、第２の接触とアプリアイコン６８ａが配置されている位置との距離のうち少なくとも一方が、閾値よりも短くなったことを検出してもよい。具体的には、スマートフォン１は、第１の接触が検出された初期位置とアプリアイコン６８ａが配置されている位置と第２の接触が検出された初期位置とを結ぶ線分上を、指Ｆ１および指Ｆ２のうち少なくとも一方が他方に近付く方向へ移動した後の指Ｆ１と指Ｆ２との距離を算出する。そして、スマートフォン１は、この算出した距離と閾値とを比較することで、第１の接触と第２の接触との距離が閾値よりも長くなったことを検出する。
【００８８】
スマートフォン１は、ロック画面６０ａが表示されるロック状態において、タッチスクリーンディスプレイ２を介して、ロック画面６０ａ上に配置されるアプリアイコン６８ａに対するピンチインジェスチャを検出すると、ロック状態を解除し、アプリアイコン６８ａに対応付けられているカメラアプリケーションを実行する。続いて、スマートフォン１は、アプリアイコン６８ａに対応するアプリケーションとしてカメラアプリケーションを起動した場合の操作画面をタッチスクリーンディスプレイ２に表示させる。
【００８９】
ここで、図１３は、カメラアプリケーションを起動した場合の操作画面の一例を示している。スマートフォン１は、カメラアプリケーションが起動された場合、図１３に操作画面８０ａをタッチスクリーンディスプレイ２に表示させる。図１３に示す操作画面８０ａでは、画面の上側の略全域に被写体を確認するためのモニター領域と、当該モニター領域の下に操作アイコン表示領域とが、配置されている。モニター領域内の下側には、カメラのズームインズームアウトを調節するための調節バー８２が配置されている。操作アイコン表示領域には、左側にフォトアルバム機能に切り替えるためのフォトアルバムアイコン８４と、中央にモニター領域に表示されている被写体を撮影するためのシャッターアイコン８６と、右側にムービー機能に切り替えるためのムービーアイコン８８とが、配置されている。スマートフォン１は、操作画面８０ａを表示した状態で、調節バー８２に対するスワイプが検出された場合、スワイプの操作量および方向に応じてモニター領域に表示されている被写体をズームインまたはズームアウトする。スマートフォン１は、操作画面８０ａを表示した状態で、フォトアルバムアイコン８４に対するタップが検出された場合、当該操作画面８０ａから後述する図１９の操作画面８０ｃに切り替える。スマートフォン１は、操作画面８０ａを表示した状態で、シャッターアイコン８６に対するタップが検出された場合、モニター領域に表示されている被写体を撮影して、静止画像を作成する。スマートフォン１は、操作画面８０ａを表示した状態で、ムービーアイコン８８に対するタップが検出された場合、当該操作画面８０ａから後述する図１８の操作画面８０ｂに切り替える。
【００９０】
以上のように、本実施形態のスマートフォン１は、アプリアイコン６８ａに対するピンチインジェスチャを、アプリアイコン６８ａに対する特定のジェスチャとして設定している。なお、本実施形態において、アプリアイコン６８ａに対する特定のジェスチャとして、ピンチインジェスチャを一例として説明したが、アプリアイコン６８ａに対する特定のジェスチャは、上述の図８に示したピンチアウトジェスチャであってもよい。
【００９１】
図１４を参照しながら、上述の図１０〜図１２のロック画面６０ａが表示されるロック状態で実行される制御の処理手順について説明する。図１４に示す処理手順は、コントローラ１０が、制御プログラム９Ａを実行することによって実現される。コントローラ１０は、図１４に示す処理手順と並行して、ロック画面６０ａに関する制御のための他の処理手順を実行することがある。
【００９２】
コントローラ１０は、ステップＳ３０として、タッチスクリーンディスプレイ２にロック画面を表示させる。コントローラ１０は、ステップＳ３０でロック画面を表示させたら、ステップＳ３２としてジェスチャありかを判定する。つまり、コントローラ１０は、タッチスクリーン２Ｂの検出結果を取得し、取得した検出結果に基づいて、ジェスチャが検出されたかを判定する。コントローラ１０は、ステップＳ３２でジェスチャが検出されてない（ステップＳ３２でＮｏ）と判定した場合、ステップＳ３４として、閾値時間≦待機時間であるかを判定する。コントローラ１０は、直近の操作が終了してからの経過時間である待機時間が所定の閾値時間以上であるかを判定する。
【００９３】
コントローラ１０は、ステップＳ３４で閾値時間≦待機時間ではない（ステップＳ３４でＮｏ）、つまり閾値時間＞待機時間であると判定した場合、ステップＳ３２に進み、ジェスチャがありかを再び判定する。コントローラ１０は、ステップＳ３４で閾値時間≦待機時間である（ステップＳ３４でＹｅｓ）と判定した場合、ステップＳ３６として省電力モードに移行し、本処理を終了する。つまり、コントローラ１０は、タッチスクリーンディスプレイ２を消灯させロック画面を表示していない状態として、本処理を終了する。
【００９４】
コントローラ１０は、ステップＳ３２でジェスチャあり（ステップＳ３２でＹｅｓ）と判定した場合、ステップＳ３８として、キーアイコンに対するピンチインジェスチャであるかを判定する。つまり、コントローラ１０は、ステップＳ３２で検出したジェスチャがキーアイコンに対するピンチインジェスチャであるかを判定する。
【００９５】
コントローラ１０は、ステップＳ３８でキーアイコンに対するピンチインジェスチャである（ステップＳ３８でＹｅｓ）と検出した場合、ステップＳ４０として、ロック解除処理を実行し、ステップＳ４２として、ロック状態が設定される前に表示されていた画面をタッチスクリーンディスプレイ２に表示させる。コントローラ１０は、ステップＳ４２でホーム画面等の他の画面を表示させたら、本処理を終了する。
【００９６】
次に、コントローラ１０は、ステップＳ３８でキーアイコン６４に対するピンチインジェスチャではない（ステップＳ３８でＮｏ）と検出した場合、ステップＳ４４として、アプリアイコンに対するピンチインジェスチャであるかを判定する。つまり、コントローラ１０は、ステップＳ３２で検出したジェスチャがアプリアイコンに対するピンチインジェスチャであるかを判定する。
【００９７】
コントローラ１０は、ステップＳ４４でアプリアイコンに対するピンチインジェスチャである（ステップＳ４４でＹｅｓ）と検出した場合、ステップＳ４６として、ロック解除処理を実行し、ステップＳ４８として、ピンチインジェスチャが検出された際に処理対象として選択されるアプリアイコンに対応するアプリケーションを起動し、ステップＳ５０として、タッチスクリーンディスプレイ２に起動したアプリケーションの画面を表示する。コントローラ１０は、ステップＳ５０で起動したアプリケーションの画面を表示させたら、本処理を終了する。
【００９８】
次に、コントローラ１０は、ステップＳ４４でアプリアイコンに対するピンチインジェスチャではない（ステップＳ４４でＮｏ）と検出した場合、ステップＳ５２として、検出したジェスチャの処理を実行し、ステップＳ３２に進む。ここで、検出したジェスチャの処理としては、ロック画面で表示可能な画面、例えばヘルプ画面もしくは緊急通報画面の表示処理等である。
【００９９】
このように、本実施形態において、スマートフォン１は、キーアイコンが配置されたロック画面を表示させる。そして、スマートフォン１は、当該ロック画面が表示されるロック状態において、キーアイコンに対するピンチインジェスチャが検出された場合、ロック解除処理を実行し、ロック状態が設定される前に表示されていた画面をタッチスクリーンディスプレイ２に表示させる。これにより、利用者は、ロック状態から簡易なロック解除操作によりロック状態が設定される前に表示されていた画面を迅速に表示させることができる。スマートフォン１は、ロック画面上にキーアイコンを配置することで、ロック解除処理が誤操作により利用者の意図しないタイミングで起動されることを抑制することができる。
【０１００】
また、スマートフォン１は、アプリアイコンが配置されたロック画面を表示させる。そして、スマートフォン１は、当該ロック画面が表示されるロック状態において、アプリアイコンに対するピンチインジェスチャが検出された場合、ロック解除処理を実行し、アプリアイコンに対応するアプリケーションを実行する。これにより、利用者は、ロック状態から迅速に所望のアプリケーションを起動させることができる。また、スマートフォン１は、アプリアイコンに対するピンチインジェスチャを検出した場合、ロック解除処理、アプリ選択処理およびアプリ起動処理を実行する。これにより、ロック画面に表示されるアプリアイコンを、ショートカット機能を備えるアイコンとすることができる。このため、利用者は、１つのジェスチャで３つの処理を入力することができる。したがって、利用者は、一部の操作、例えばロック状態を解除してアイコンの選択画面を表示させる操作およびアイコン選択画面からアイコンを選択する操作を省略したショートカット操作で、所望のアプリケーションを起動させることができる。
【０１０１】
スマートフォン１は、図１４に示す処理動作で、検出したジェスチャを、ステップＳ３８、ステップＳ４４の順で判定したが、判定の順番は特に限定されない。スマートフォン１は、ステップＳ３８、ステップＳ４４のそれぞれの判定をどの順序で実行してもよい。
【０１０２】
スマートフォン１は、図１４に示す処理動作で、キーアイコンおよびアプリアイコンに対する特定のジェスチャとして、ピンチインジェスチャを一例として説明したが、キーアイコンおよびアプリアイコンに対する特定のジェスチャは、上述の図８に示したピンチアウトジェスチャであってもよい。
【０１０３】
図１５は、上述の図１０〜図１２のロック画面６０ａが表示されるロック状態で実行される制御の処理手順の他の例を示すフローチャートである。図１５は、アプリアイコンに対するピンチインジェスチャであると判定した場合、つまり図１４のステップＳ４４でＹｅｓと判定した後に実行する処理手順の他の例を示している。図１５に示す処理手順は、コントローラ１０が、制御プログラム９Ａを実行することによって実現される。
【０１０４】
コントローラ１０は、ステップＳ４４でＹｅｓと判定した場合、ステップＳ４８として、ピンチインジェスチャが検出された際に処理対象として選択されるアプリアイコンに対応するアプリケーションを起動し、ステップＳ５０として、タッチスクリーンディスプレイ２に起動したアプリケーションの画面を表示する。コントローラ１０は、ステップＳ５０で起動したアプリケーションの画面を表示させたら、ステップＳ６０として、起動したアプリケーションの処理を実行する。例えば、コントローラ１０は、ジェスチャが検出されたら検出されたジェスチャに対応する処理を実行する。
【０１０５】
コントローラ１０は、ステップＳ６０でアプリケーションの処理を実行したら、ステップＳ６２としてアプリケーションを終了させるかを判定する。ここで、コントローラ１０は、例えば、アプリケーションを終了させるジェスチャを検出した場合、また、予め設定された処理条件を満足していると判定した場合、アプリケーションを終了すると判定する。コントローラ１０は、アプリケーションを終了させない（ステップＳ６２でＮｏ）と判定した場合、ステップＳ６０に進み、アプリケーションの処理を実行する。コントローラ１０は、アプリケーションを終了させる（ステップＳ６２でＹｅｓ）と判定した場合、ステップＳ６４としてロック画面を表示し、本処理を終了する。つまりコントローラ１０は、ステップＳ６２でＹｅｓと判定した場合、図１４のステップＳ３０に進み図１５に示す処理を終了する。
【０１０６】
スマートフォン１は、図１５に示すように、アプリアイコンに対するピンチインジェスチャを検出した場合、ピンチインジェスチャが検出された際に処理対象として選択されるアプリアイコンに対応するアプリケーションを起動し、そのアプリケーションが終了したら再びロック画面を表示させる。例えば、スマートフォン１は、カメラアプリケーションが対応付けられたアプリアイコンに対するピンチインジェスチャが検出されると、カメラアプリケーションを起動させ、カメラを制御して被写体を撮影したらロック画面に戻る処理動作を実行することができる。これにより、利用者は、ロック画面に表示されたアプリアイコンに対応するアプリケーションはロック解除をしない状態で使用することができる。つまり、利用者は面倒なロック解除ジェスチャを入力しなくても、設定した所定の処理を実行することが可能となる。
【０１０７】
次に、図１６〜図２０を用いて、アプリアイコンに対するピンチインジェスチャの方向に応じてアプリケーションが実行する機能を異ならせる制御について説明する。図１６は、ロック画面６０ａ上に配置されるアプリアイコン６８ａに対するピンチインジェスチャの方向について説明する図である。図１６の左側のロック画面６０ａは、上述の図１２のステップＳ８に示したロック画面６０ａと同様の状況を示している。つまり、利用者の指Ｆ１と指Ｆ２がロック画面６０ａ上のアプリアイコン６８ａの周囲に接触した状態で、指Ｆ１と指Ｆ２が互いに近付く方向に移動している。つまり、利用者は、アプリアイコン６８ａを挟んだ状態で、指Ｆ１と指Ｆ２が近付く方向にピンチインしている。この場合、スマートフォン１は、タッチスクリーンディスプレイ２を介して、アプリアイコン６８ａに対するピンチインジェスチャを検出する。
【０１０８】
図１６の右側のロック画面６０ａ’は、図１６の左側のロック画面６０ａ上に配置されるアプリアイコン６８ａの周囲の領域を拡大した図である。図１６の右側のロック画面６０ａ’は、アプリアイコン６８ａに対して検出されるピンチインの方向を示している。一例として、図１６の右側のロック画面６０ａ’は、スマートフォン１により検出される第１の接触と第２の接触とを結ぶ線分７０、７２、７４、７６を示している。線分７０は、利用者の指Ｆ１がアプリアイコン６８ａの略左下部分に接触し、指Ｆ２がアプリアイコン６８ａの略右上部分に接触している状態で、スマートフォン１により検出される第１の接触と第２の接触とを結ぶ線分である。線分７２は、利用者の指Ｆ１がアプリアイコン６８ａの略左部分に接触し、指Ｆ２がアプリアイコン６８ａの略右部分に接触している状態で、スマートフォン１により検出される第１の接触と第２の接触とを結ぶ線分である。線分７６は、利用者の指Ｆ１がアプリアイコン６８ａの略下部分に接触し、指Ｆ２がアプリアイコン６８ａの略上部分に接触している状態で、スマートフォン１により検出される第１の接触と第２の接触とを結ぶ線分である。線分７４は、利用者の指Ｆ１がアプリアイコン６８ａの略左上部分に接触し、指Ｆ２がアプリアイコン６８ａの略右下部分に接触している状態で、スマートフォン１により検出される第１の接触と第２の接触とを結ぶ線分である。
【０１０９】
本実施形態にかかるスマートフォン１は、アプリアイコン６８ａに対して第１の接触および第２の接触のうち少なくとも一方が他方に近付く方向に応じて、アプリアイコン６８ａに対応付けられているカメラアプリケーションが実行する機能を異ならせる。カメラアプリケーションが実行する機能としては、例えば、カメラ機能、ムービー機能、フォトアルバム機能等が挙げられる。以下に詳細を示す。
【０１１０】
例えば、図１７に示すように、利用者が、ステップＳ７１にて指Ｆ１をアプリアイコン６８ａの略左下部分に接触させ、指Ｆ２をアプリアイコン６８ａの略右上部分に接触させている状態から、ピンチインジェスチャを行う場合、スマートフォン１は、線分７０上で指Ｆ１と指Ｆ２とが互いに近付く方向のピンチインジェスチャを検出する。この場合、ステップＳ７２にてスマートフォン１は、上述の図１３に示したカメラ機能を実行するための操作画面８０ａをタッチスクリーンディスプレイ２に表示させる。
【０１１１】
例えば、図１８に示すように、利用者が、ステップＳ７３にて指Ｆ１をアプリアイコン６８ａの略左部分に接触させ、指Ｆ２をアプリアイコン６８ａの略右部分に接触させている状態から、ピンチインジェスチャを行う場合、スマートフォン１は、線分７２上で指Ｆ１と指Ｆ２とが互いに近付く方向のピンチインジェスチャを検出する。この場合、ステップＳ７４にてスマートフォン１は、ムービー機能を実行するための操作画面８０ｂをタッチスクリーンディスプレイ２に表示させる。
【０１１２】
図１８に示す操作画面８０ｂでは、画面の上側の略全域に被写体を確認するためのモニター領域と、当該モニター領域の下に操作アイコン表示領域とが、配置されている。モニター領域内の下側には、カメラのズームインズームアウトを調節するための調節バー８２が配置されている。操作アイコン表示領域には、左側にフォトアルバム機能に切り替えるためのフォトアルバムアイコン８４と、中央にモニター領域に表示されている被写体を撮影する処理を開始または停止するための開始・停止アイコン８７と、右側にカメラ機能に切り替えるためのカメラアイコン８９とが、配置されている。開始・停止アイコン８７は、被写体を撮影中にタッチされると撮影処理を停止する停止アイコンとして機能し、撮影処理の停止時にタッチされると撮影処理を開始する開始アイコンとして機能する。スマートフォン１は、操作画面８０ｂを表示した状態で、調節バー８２に対するスワイプが検出された場合、スワイプの操作量および方向に応じてモニター領域に表示されている被写体をズームインまたはズームアウトする。スマートフォン１は、操作画面８０ｂを表示した状態で、フォトアルバムアイコン８４に対するタップが検出された場合、当該操作画面８０ｂから後述する図１９の操作画面８０ｃに切り替える。スマートフォン１は、操作画面８０ｂを表示した状態で、開始・停止アイコン８７に対するタップが検出された場合、モニター領域に表示されている被写体を撮像する処理を開始する。そして、スマートフォン１は、再度開始・停止アイコン８７に対するタップが検出された場合、モニター領域に表示されている被写体を撮像する処理を停止して、動画を作成する。スマートフォン１は、操作画面８０ｂを表示した状態で、カメラアイコン８９に対するタップが検出された場合、当該操作画面８０ｂから上述の図１３の操作画面８０ａに切り替える。
【０１１３】
例えば、図１９に示すように、利用者が、ステップＳ７５にて指Ｆ１をアプリアイコン６８ａの略下部分に接触させ、指Ｆ２をアプリアイコン６８ａの略上部分に接触させている状態から、ピンチインジェスチャを行う場合、スマートフォン１は、線分７６上で指Ｆ１と指Ｆ２とが互いに近付く方向のピンチインジェスチャを検出する。この場合、スマートフォン１は、ステップＳ７６にてスマートフォン１は、フォトアルバム機能を実行するための操作画面８０ｃをタッチスクリーンディスプレイ２に表示させる。
【０１１４】
図１９に示す操作画面８０ｃでは、画面の上側の略全域に過去に撮影した静止画または動画を確認するためのモニター領域と、当該モニター領域の下に操作アイコン表示領域とが、配置されている。操作アイコン表示領域には、左側に過去に撮影した静止画および動画を含む画像リスト上で左隣に配置された画面に切り替えるための左矢印アイコン８１と、中央に画像リストのスライドショーを開始するためのスライドショーアイコン８３と、右側に画像リスト上で右隣に配置された画面に切り替えるための右矢印アイコン８５とが、配置されている。スマートフォン１は、操作画面８０ｃを表示した状態で、左矢印アイコン８１に対するタップが検出された場合、モニター領域に画像リスト上で左隣に配置された画像を表示させる。スマートフォン１は、操作画面８０ｃを表示した状態で、スライドショーアイコン８３に対するタップが検出された場合、画像リストに含まれる画像を順番にモニター領域に表示させる。スマートフォン１は、操作画面８０ｃを表示した状態で、右矢印アイコン８５に対するタップが検出された場合、モニター領域に画像リスト上で右隣に配置された画像を表示させる。
【０１１５】
図２０は、上述の図１０〜図１２、図１６〜図１９のロック画面６０ａが表示されるロック状態で実行される制御の処理手順の他の例を示すフローチャートである。図２０は、アプリアイコンに対するピンチインジェスチャであると判定した場合、つまり図１４のステップＳ４４でＹｅｓと判定した後に実行する処理手順の他の例を示している。図２０に示す処理手順は、コントローラ１０が、制御プログラム９Ａを実行することによって実現される。
【０１１６】
コントローラ１０は、ステップＳ４４でＹｅｓと判定した場合、ステップＳ４５として、ピンチインジェスチャが検出された際の方向を検出し、ステップＳ４６として、ロック解除処理を実行する。コントローラ１０は、ステップＳ４９として、ステップＳ４５にて検出したピンチインジェスチャの方向に対応するアプリケーションの特定の機能を起動する。コントローラ１０は、ステップＳ５１として、タッチスクリーンディスプレイ２に起動したアプリケーションの機能を実行するための操作画面を表示する。例えば、コントローラ１０は、上述の図１７〜図１９に示したように、ピンチインジェスチャの方向に対応するメールアプリケーションの機能のうち、カメラ機能、ムービー機能、フォトアルバム機能のいずれかを実行するための操作画面８０ａ〜８０ｃのいずれかをタッチスクリーンディスプレイ２に表示させる。その後、本処理を終了する。
【０１１７】
スマートフォン１は、図２０に示すように、アプリアイコンに対して第１の接触および第２の接触のうち少なくとも一方が他方に近付く方向に応じて、アプリアイコンに対応付けられているアプリケーションが実行する機能を異ならせる。例えば、スマートフォン１は、カメラアプリケーションが対応付けられたアプリアイコンに対するピンチインジェスチャが検出されると、ピンチインジェスチャの方向に応じて、カメラアプリケーションが有するカメラ機能、ムービー機能、フォトアルバム機能を実行することができる。これにより、利用者は、ロック画面に表示されたアプリアイコン対するピンチインジェスチャの方向を、起動させたい機能に応じて変化させることで、簡易な操作で迅速に所望のアプリケーションの特定の機能を実行するための操作画面を表示させることができる。つまり、利用者は、アプリケーションを実行した後、所望の機能を選択するジェスチャを入力しなくても、ロック画面に表示されたアプリアイコン対するピンチインジェスチャの方向を、起動させたい機能に応じて変化させることで、設定した所定の処理を実行することが可能となる。
【０１１８】
スマートフォン１は、図１６〜図２０に示す処理動作で、アプリアイコンに対する特定のジェスチャとして、ピンチインジェスチャを一例として説明したが、キーアイコンおよびアプリアイコンに対する特定のジェスチャは、上述の図８に示したピンチアウトジェスチャであってもよい。
【０１１９】
スマートフォン１は、図１６〜図２０に示す処理動作で、アプリアイコンに対するピンチインジェスチャまたはピンチアウトジェスチャの方向に応じて、対象のアプリケーションが実行する機能を異ならせる例を説明したが、キーアイコンおよびアプリアイコンに対するジェスチャの種類に応じて、対象のアプリケーションが実行する機能を異ならせてもよい。例えば、スマートフォン１は、キーアイコンをタップした後、所望のアプリアイコンに対するピンチインジェスチャまたはピンチアウトジェスチャを検出した場合、キーアイコンのタップ回数に応じて、対象のアプリケーションが実行する機能を異ならせてもよい。
【０１２０】
例えば、スマートフォン１は、利用者がキーアイコンをシングルタップした後、カメラアプリケーションが対応付けられたアプリアイコン６８ａに対するピンチインジェスチャまたはピンチアウトジェスチャを検出した場合、ムービー機能を実行する操作画面を表示させる。また、スマートフォン１は、利用者がキーアイコンをダブルタップした後、カメラアプリケーションが対応付けられたアプリアイコン６８ａに対するピンチインジェスチャまたはピンチアウトジェスチャを検出した場合、フォトアルバム機能を実行する操作画面を表示させる。なお、この場合、スマートフォン１は、キーアイコンをタップせずに、アプリアイコン６８ａに対するピンチインジェスチャまたはピンチアウトジェスチャを検出した場合、カメラ機能を実行する操作画面を表示させる。
【０１２１】
上記実施形態では、スマートフォン１は、アプリアイコンに対するピンチインジェスチャまたはピンチアウトジェスチャが検出されると、ロック解除処理を実行し、対応するアプリケーションを実行する例について説明したが、これに限定されない。スマートフォン１は、ピンチインジェスチャが検出された場合に実行する処理と、ピンチアウトジェスチャが検出された場合に実行する処理とを異ならせてもよい。例えば、スマートフォン１は、ピンチインジェスチャが検出された場合は、上述の図１４のステップＳ４６〜Ｓ５０に示すように、ロック解除処理を実行し、対応するアプリケーションを実行してもよい。スマートフォン１は、ピンチアウトジェスチャが検出された場合は、上述の図１５のステップＳ４８〜Ｓ６４に示すように、対応するアプリケーションを実行後、ロック画面に戻る処理を実行してもよい。
【０１２２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【０１２３】
例えば、図５に示した各プログラムは、複数のモジュールに分割されていてもよい。あるいは、図５に示した各プログラムは、他のプログラムと結合されていてもよい。
【０１２４】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、又はゲーム機である。あるいは、添付の請求項に係る装置は、据え置き型の電子機器であってもよい。据え置き型の電子機器は、例えば、デスクトップパソコン、及びテレビ受像器である。
【符号の説明】
【０１２５】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
【図１】
0005762944.tif 000002
【図２】
0005762944.tif 000003
【図３】
0005762944.tif 000004
【図４】
0005762944.tif 000005
【図５】
0005762944.tif 000006
【図６】
0005762944.tif 000007
【図７】
0005762944.tif 000008
【図８】
0005762944.tif 000009
【図９】
0005762944.tif 000010
【図１０】
0005762944.tif 000011
【図１１】
0005762944.tif 000012
【図１２】
0005762944.tif 000013
【図１３】
0005762944.tif 000014
【図１４】
0005762944.tif 000015
【図１５】
0005762944.tif 000016
【図１６】
0005762944.tif 000017
【図１７】
0005762944.tif 000018
【図１８】
0005762944.tif 000019
【図１９】
0005762944.tif 000020
【図２０】
0005762944.tif 000021